(57)【特許請求の範囲】
【請求項１】
冷蔵庫内に設置される長方形のフレームと、
前記フレームの内側を横切って、スライドする方向に沿って往復スライド可能に連結されかつ前記フレームの内側の複数の位置に選択的に固定されるスライドバーと、
前記スライドバーに一側が固定され、かつ前記スライドバーと対向するフレームの一側に他側が固定されたフレキシブルシートと、
前記フレームは、前記スライドバーに対して直角方向に配置された前後フレームと、
前記スライドバーと平行に配置されかつ前記シートの一側が固定された第１サイドフレームと、
第１サイドフレームと平行に配置された第２サイドフレームと、を含み、
前記前後フレームは、前記スライドバーを摺動可能に案内する案内溝を内側に有し、
前記案内溝に、前記シートが十分に広げられ棚自体として機能する位置に、前記スライドバーを係止するための係止溝を有する、
ことを特徴とする冷蔵庫の収納装置。
【請求項２】
前記係止溝は、所定間隔を置いて複数個が形成されている、請求項１に記載の冷蔵庫の収納装置。
【発明の詳細な説明】
【技術分野】
【０００１】
本発明は、冷蔵庫の収納装置に関し、特に、ビンなどをより楽に保管でき、収納の利便性を増大する冷蔵庫の収納装置に関する。
【背景技術】
【０００２】
一般的に、冷蔵庫の内部は、冷凍室と冷蔵室に区分される。前記冷凍室には、冷凍保管すべき食品を、前記冷蔵室には、冷蔵保管すべき食品を保管する。最近は、特定の機能のみのための冷蔵庫もたくさん開発されている。例えば、ワイン冷蔵庫、化粧品冷蔵庫、キムチ冷蔵庫などがある。このような機能性冷蔵庫は、冷蔵室のみがある場合もあり、ドアに収納装置がない場合もある。
本発明による冷蔵庫の収納装置は、いろいろな種類の冷蔵庫に多様に適用されることができる。
【０００３】
生活環境の多様化によって、最近市場に発表される冷蔵庫の内部には、ワインビンが収納できるワインラックが設置されている。その一例として、英国特許公開番号ＧＢ２１５８７０５号があり、その内容を図４及び図５に示す。図示されたように、収納装置は、２４５mmの長い平行端部１及び２２０mmの短い平行端部２を備えて、全体的に台形を形成し、２つのサイドリブ３は、１９０mm で、長い平行端部１から短い平行端部２に収束されるように配置される。
【０００４】
各サイドリブ３間には、間隔を置いて配置された第１のリブ(first rib)４及び前記第１のリブ４と直交して配置された第２のリブ(second rib)２が一体に形成される。
【０００５】
前記収納装置は、棚１１に掛けて使用する。このために、各サイドリブ３には、外側から内側に突出フック６が３つ形成されている。長い平行端部１には３つの支持突起(stops)８が形成され、前記支持突起８と長い平行端部１間には、連結を補強する補強突起(buttresses)９が形成されている。
【０００６】
このような冷蔵庫の収納装置は、図４に示すように、冷蔵庫に設置された棚１１に湾曲型になるように突出フック６を掛けて固定する形態で設置される。
【０００７】
また、棚１１に連結された収納装置の内側空間にビン１０を挿入して保管する。このとき、前記収納装置は、台形であるので、ビン１０が長い平行端部１の方向に傾き、傾いたビン１０は、３つの支持突起によって支持される。
【０００８】
しかしながら、このような従来の冷蔵庫の収納装置は、棚１１に結合して使用しなければならず、使用しない場合は、棚１１と分離して保管しなければならない面倒さが発生するという問題点がある。
【０００９】
図６は、従来の他の収納装置の実施形態を示す図である。これは、ワインラックと呼ばれる収納装置２０は、ビンを保管するために冷蔵庫の棚に連結される。収納装置２０は、ビンを支持し得るように収納部２５が間隔を置いて配置されている。収納部２５の下方向に屈曲した部分にビンを置くことができる。
【００１０】
しかしながら、この従来の収納装置も、使用しない時はその自体を分離して別途に保管すべきであるという不便さがあった。
即ち、従来の収納装置の場合は、保管するビンがない状態で大量の食品を収納するためには、収納装置を冷蔵庫から分離して保管しなければならない。
【発明の開示】
【発明が解決しようとする課題】
【００１１】
本発明は、前述したような従来技術の問題点を解決するために提案されたものであり、本発明の目的は、ビンなどをより楽に保管することができ、収納の利便性を増大させる冷蔵庫の収納装置を提供することにある。
【課題を解決するための手段】
【００１２】
このような目的を達成するための本発明の冷蔵庫の収納装置は、冷蔵庫内に設置される長方形のフレームと、前記フレームの内側を横切ってスライド可能に連結されたスライドバーと、前記スライドバーに一側が固定されかつ前記スライドバーと対向するフレームの一側に他側が固定されたフレキシブルシートとを含むことを特徴とする。
【００１３】
好適形態において、前記フレームは、前記スライドバーに対して直角方向に配置された前後フレームと、前記スライドバーと平行に配置されかつ前記シートの一側が固定された第１サイドフレームと、第１サイドフレームと平行に配置された第２サイドフレームとを含む。
【００１４】
好適形態において、前記前後フレームは前記スライドバーを摺動可能に案内する案内溝を内側に有する。
【００１５】
好適には、前記案内溝は前記シートが十分に広げられる位置に前記スライドバーを係止するための係止溝を有する。
【００１６】
前記係止溝は、所定間隔を置いて複数個が形成されていてよい。
【００１７】
前記スライドバーは、使用者が掴んでスライドバーを動かすための取っ手を底面にさらに含むことが望ましい。
【００１８】
好適には、前記シートは合成樹脂で形成されている。
【００１９】
前記シートは網タイプに構成されていてよい。
【００２０】
好適形態において、前記フレームは、棚の下方に近接して位置決めされている。
【００２１】
好適形態において、前記フレームは棚から垂直に１５cm以上離れて位置決めされている。
【００２２】
本発明による他の形態の冷蔵庫の収納装置は、冷蔵庫に設置される長方形のフレーム内に移動可能にスライドバーが連結され、かつ前記フレームとスライドバー間にはフレキシブルシートが設置されていることを特徴とする。
【発明の効果】
【００２３】
本発明の冷蔵庫の収納装置は、フレームにスライドバーが連結され、スライドバーを動かしてシートを広げるかまたは湾曲するように構成したもので、構成が簡単で、使用が簡便である。使用しない場合は、収納シートを広げることで冷蔵庫の収納空間を広くすることができ、広げられたシート上に他の食品を保管することで収納の利便性を増大させる効果がある。
【発明を実施するための最良の形態】
【００２４】
以下、本発明による冷蔵庫の収納装置を図面に示す実施形態に基づいて詳細に説明する。
図１は、本発明の実施形態による冷蔵庫の収納装置のシートが広げられた状態を示す斜視図であり、図２は、本発明の実施形態による冷蔵庫の収納装置のシートが湾曲した状態を示す斜視図である。
【００２５】
図示されたように、本発明の冷蔵庫の収納装置は、冷蔵庫内に設置される長方形のフレーム１００と、フレーム１００の内側を横切って、スライド可能に連結されたスライドバー２００と、一側はスライドバー２００に固定され、他側はスライドバー２００と対向するフレームの一側に固定されるフレキシブルシート３００と、を含んで構成される。
【００２６】
フレーム１００は、スライドバー２００に対して直角方向に配置された前後フレーム１１０と、スライドバー２００と平行に配置され、シート３００の一側が固定される第１サイドフレーム１２０と、第１サイドフレーム１２０と平行に配置される第２サイドフレーム１３０と、を含んで構成される。
【００２７】
前後フレーム１１０の内側には、前記スライドバー２００を摺動可能に案内する案内溝１１１が形成される。
【００２８】
図３は、前後フレームに形成された案内溝を示す部分拡大図である。図示されたように、案内溝１１１には、前記シート３００が十分に広げられる位置に、スライドバー２００が係止するための係止溝１１５が形成されることが望ましい。
【００２９】
案内溝１１１の両端部に係止溝１１５が２つ形成されることもできる。案内溝１１１の両端部に２つの係止溝１１５が形成される場合、そのそれぞれの位置は、スライドバー２００が動いてシート３００を最大に広げた位置及びシート３００が最も湾曲した位置に相当する。即ち、シート３００が最も湾曲した位置でビンを保管するときに、スライドバー２００が係止溝１１５に係止して安定的にビンを収納することができる。
【００３０】
また、係止溝１１５は、案内溝１１１内に間隔を置いて３つ以上形成されることができる。この場合は、ビンの大きさによって使用者が適当な係止溝１１５を選択してスライドバー２００を掛けて使用することができる。
【００３１】
スライドバー２００は、第１サイドフレーム１２０と第２サイドフレーム１３０間に平行に配置される。
スライドバー２００の下には、使用者が適宜に掴んでスライドバーを動かせるように取っ手(図示せず)を形成することもできる。
【００３２】
シート３００は、合成樹脂からなることが望ましい。
シート３００は、冷蔵庫内の冷気との接触が増大するように網タイプに形成することもできる。この場合、シート３００の空間で冷気とビンが直接接触する面積が増加し、冷却効果が向上する。
【００３３】
冷蔵庫の前記収納装置は、食品を置いて保管する棚の下方に近接して位置決めすることが望ましい。この場合、ビンを保管するときは、シート３００が湾曲してシートが形成する内部空間にビンを保管し、ビンを保管しないときは、シート３００を水平状態にしておく。棚と収納装置間の空間が小さくなるほど、冷蔵庫の収納空間は増加する。即ち、冷蔵庫内で収納に利用されない空間を減らすことによって収納効率を高めることができる。
【００３４】
また、冷蔵庫の前記収納装置は、食品を置いて保管する棚から垂直に１５cm以上離れて配置することもできる。この場合、ビンを保管するときは、シート３００が湾曲するようにしてシートが形成する内部空間にビンを保管し、ビンを保管しないときは、シート３００を水平にしてその上に他の食品を保管する。即ち、ビンを収納しないときは、棚の機能を遂行し得る。
【００３５】
本発明の冷蔵庫の収納装置は、冷蔵庫に設置される長方形のフレーム内に移動可能にスライドバーが結合され、フレームとスライドバー間にはフレキシブルシートが設置されていることを特徴とする。
【００３６】
以下、本発明の作用を説明する。
ビンを保管するときは、スライドバーを動かしてシートが湾曲するようにする。シートが湾曲して形成された内部空間にビンを保管する。前述したように、複数の係止溝を形成してビンのサイズによって使用者が適当な係止溝にスライドバーを掛けることにより、内部空間の大きさを選択可能にすることができる。ビンを保管しないときは、案内溝の端部にある係止溝にスライドバーを掛けてシートを広げる。即ち、シートが湾曲して形成する内部空間をなくすことである。このときは、冷蔵庫に設置されている棚の下方に近接してフレームを設置することにより、冷蔵庫内の収納空間を効率的に使用することができる。また、棚から垂直に１５cm以上離れてフレームを配置し、シートを広げる場合は、その広げたシート上に他の食品を保管できるように多機能に使用することもできる。
【図面の簡単な説明】
【００３７】
【図１】本発明の実施形態による冷蔵庫の収納装置のシートが広げられた状態を示す斜視図である。
【図２】本発明の実施形態による冷蔵庫の収納装置のシートが湾曲した状態を示す斜視図である。
【図３】前後フレームに形成された案内溝を示す部分拡大図である。
【図４】従来の冷蔵庫の収納装置の使用状態を示す斜視図である。
【図５】従来の収納装置を広げて上から見た斜視図である。
【図６】従来の他の冷蔵庫の収納装置を示す斜視図である。
【符号の説明】
【００３８】
１００    フレーム
１１０    前後フレーム
１１１    案内溝
１１５    係止溝
１２０    第１のサイドフレーム
１３０    第２のサイドフレーム
２００    スライドバー
３００    シート
【図１】
0004833542.tif 000002
【図２】
0004833542.tif 000003
【図３】
0004833542.tif 000004
【図４】
0004833542.tif 000005
【図５】
0004833542.tif 000006
【図６】
0004833542.tif 000007